(57)【要約】【課題】記録紙の種類に拘わらず、透かし画像の判別が可能な画像形成装置を得る。【解決手段】画像形成装置１０において、カラー画像用のトナー（Ｙ、Ｍ、Ｃ、Ｋ）に加え、透かし画像用のトナーとして、高光沢透明トナー（ＨＣ）及び低光沢透明トナー（ＬＣ）を配設している。そして、画像形成部２４に光沢度センサを配設し、該光沢度センサによって、搬送される記録材Ｐの表面の光沢度を測定する。この光沢度に応じて制御部によって高光沢透明トナー（ＨＣ）か低光沢透明トナー（ＬＣ）かを選択し、選択された透明トナーによって、透かし画像用の透明トナー像を形成することで、記録材Ｐの種類に拘わらず、透かし画像の判別が可能となる。【選択図】図１
2008151851.tif 000002
【特許請求の範囲】
【請求項１】
定着後の反射率が異なる複数の透明トナー現像剤と、
低光沢の記録材には、該記録材の反射率より定着後の反射率が高い透明トナー現像剤でトナー画像が形成され、高光沢の記録材には、該記録材の反射率より定着後の反射率が低い透明トナー現像剤でトナー画像が形成される画像形成ユニットと、
を有することを特徴とする画像形成装置。
【請求項２】
前記記録材の光沢度を測定する光沢度センサと、
前記画像形成ユニットに設けられ、前記光沢度センサからの信号が入力され、低光沢の記録材の場合、定着後の反射率が高い透明トナー現像剤を選択し、高光沢の記録材の場合、定着後の反射率が低い透明トナー現像剤を選択する選択手段と、
を有することを特徴とする請求項１に記載の画像形成装置。
【請求項３】
記録材に転写されたトナー像の定着後の画像を高光沢とする高光沢用定着装置と、
記録材に転写されたトナー像の定着後の画像を低光沢とする低光沢用定着装置と、
を備え、
低光沢の記録材の場合、前記高光沢用定着装置でトナー画像の定着が行われ、高光沢の記録材の場合、前記低光沢用定着装置でトナー画像の定着が行われることを特徴とする画像形成装置。
【請求項４】
前記記録材の光沢度を測定する光沢度センサと、
前記光沢度センサからの信号が入力され、低光沢の記録材の場合、前記高光沢用定着装置へ該記録材を搬送し、高光沢の記録材の場合、前記低光沢用定着装置へ該記録材を搬送するように記録材を搬送する搬送路を切り替える切替え手段と、
を有することを特徴とする請求項３に記載の画像形成装置。
【発明の詳細な説明】
【技術分野】
【０００１】
本発明は、電子写真方式の画像形成装置に関する。
【背景技術】
【０００２】
従来より、有価証券や機密文書等の印刷物の偽造防止等を目的とした様々な技術があり、最も古くから利用されているものとしては、いわゆる「透かし技術」がある。電子写真方式による透かし技術として、カラートナーにより微小ドットで透かし画像を形成し、本来の画像と重畳させる方法があるが、同色のカラー画像と重なった場合、透かし画像の判別不可能となる。
【０００３】
また、赤外や紫外領域に吸収を持つ透明な記録材料を用いて透かし画像を形成する方法があるが、自然光のもとでは該透かし画像を目視で認識できないため、偽造防止効果がない。
【０００４】
さらに、特許文献１では、電子写真方式のプリンタと透明トナーを用いて、光沢パターン画像（透かし画像）を作成する方法が記載されている。しかし、透明トナーの光沢度制御範囲が狭いため、光沢紙に印字した場合に該透かし画像を判別することが困難である。
【特許文献１】特開２００４−１２８８０号公報
【発明の開示】
【発明が解決しようとする課題】
【０００５】
本発明は上記事実を考慮し、記録紙の種類に拘わらず、透かし画像の判別が可能な画像形成装置を得ることを目的とする。
【課題を解決するための手段】
【０００６】
請求項１に記載の発明は、画像形成装置において、定着後の反射率が異なる複数の透明トナー現像剤と、低光沢の記録材には、該記録材の反射率より定着後の反射率が高い透明トナー現像剤でトナー画像が形成され、高光沢の記録材には、該記録材の反射率より定着後の反射率が低い透明トナー現像剤でトナー画像が形成される画像形成ユニットと、を有することを特徴とする。
【０００７】
請求項１に記載の発明では、定着後の反射率が異なる複数の透明トナー現像剤を用いる。定着後の反射率が高い透明トナー現像剤でトナー画像を形成することで、高光沢の透かし画像を得ることができるため、低光沢の記録材の場合、該記録材の反射率より定着後の反射率が高いこの高光沢の透かし画像を形成することで、該透かし画像の判別を可能にする。
【０００８】
また、定着後の反射率が低い透明トナー現像剤でトナー画像を形成することで、低光沢の透かし画像を得ることができるため、高光沢の記録材の場合、該記録材の反射率より定着後の反射率が低い低光沢の透かし画像を形成することで、該透かし画像の判別を可能にする。
【０００９】
つまり、記録材の光沢度に応じて、透明トナー現像剤の種類を変えることで、記録材の種類に拘わらず、透かし画像の判別が可能となる。
【００１０】
請求項２に記載の発明は、請求項１に記載の画像形成装置において、前記記録材の光沢度を測定する光沢度センサと、前記画像形成ユニットに設けられ、前記光沢度センサからの信号が入力され、低光沢の記録材の場合、定着後の反射率が高い透明トナー現像剤を選択し、高光沢の記録材の場合、定着後の反射率が低い透明トナー現像剤を選択する選択手段と、を有することを特徴とする。
【００１１】
請求項２に記載の発明では、記録材の光沢度を測定する光沢度センサを用い、該光沢度センサからの信号が選択手段へ入力され、該選択手段によって透明トナー現像剤が選択されるようにすることで、記録材の種類を間違ったりするなどの人為的なミスを防ぐと共に、便利である。
【００１２】
請求項３に記載の発明は、画像形成装置において、記録材に転写されたトナー像の定着後の画像を高光沢とする高光沢用定着装置と、記録材に転写されたトナー像の定着後の画像を低光沢とする低光沢用定着装置と、を備え、低光沢の記録材の場合、前記高光沢用定着装置でトナー画像の定着が行われ、高光沢の記録材の場合、前記低光沢用定着装置でトナー画像の定着が行われることを特徴とする。
【００１３】
請求項３に記載の発明は、記録材に転写されたトナー像の定着後の画像を高光沢とする高光沢用定着装置と、記録材に転写されたトナー像の定着後の画像を低光沢とする低光沢用定着装置を用いている。そして、高光沢用定着装置でトナー画像を定着させることで、高光沢の透かし画像を得ることができるため、低光沢の記録材の場合、高光沢用定着装置でトナー画像を定着させ、高光沢の透かし画像を形成することで、該透かし画像の判別を可能にする。
【００１４】
また、低光沢用定着装置でトナー画像を定着させることで、低光沢の透かし画像を得ることができるため、高光沢の記録材の場合、低光沢用定着装置でトナー画像を定着させ、低光沢の透かし画像を形成することで、該透かし画像の判別を可能にする。
【００１５】
つまり、記録材の光沢度に応じて、定着装置の種類を変えることで、記録材の種類に拘わらず、透かし画像の判別が可能となり、請求項１に記載の発明の効果と略同一の効果を得ることができる。
【００１６】
請求項４に記載の発明は、請求項３に記載の画像形成装置において、前記記録材の光沢度を測定する光沢度センサと、前記光沢度センサからの信号が入力され、低光沢の記録材の場合、前記高光沢用定着装置へ該記録材を搬送し、高光沢の記録材の場合、前記低光沢用定着装置へ該記録材を搬送するように記録材を搬送する搬送路を切り替える切替え手段と、を有することを特徴とする。
【００１７】
請求項４に記載の発明では、トナー画像が形成された記録材を高光沢用定着装置へ案内する搬送路と低光沢用定着装置へ案内する搬送路とを切替え手段によって切り替えるようにしている。
【発明の効果】
【００１８】
本発明は、上記構成としたので、記録紙の種類に拘わらず、透かし画像の判別が可能になる。
【発明を実施するための最良の形態】
【００１９】
以下に、本発明の画像形成装置に係る第１実施の形態の一例を図面に基づき説明する。
【００２０】
図１に示すように、画像形成装置１０の下方には、給紙トレイ１２、１４、１６が上下に配設されており、種々の記録材Ｐをそれぞれ収容し、形成される画像に応じた記録材Ｐを供給するようにしている。
【００２１】
給紙トレイ１２、１４、１６に収容された記録材Ｐは、ピックアップロール１８により給紙トレイ１２、１４、１６からそれぞれ送り出される。そして、給紙トレイ１２、１４、１６から送り出された記録材Ｐは、レジストロール対２０及び複数の搬送ロール対２２によって搬送され、画像形成装置１０の略中央部に配設された画像形成部２４へ案内される。
【００２２】
画像形成部２４では、一方向（図１において矢印Ａ方向）へ回転する円筒状の感光体ドラム２６を備えている。この感光体ドラム２６の近傍には、感光体ドラム２６の表面を一様に帯電させる帯電装置２８が配設されており、感光体ドラム２６の回転方向に沿った帯電装置２８の下流側には、露光装置３０が配設され、感光体ドラム２６に像光Ｌを照射して感光体ドラム２６の表面に潜像を形成する。
【００２３】
また、感光体ドラム２６の近傍には、帯電装置２８の略反対側に、現像器３２Ｙ、３２Ｍ、３２Ｃ、３２Ｋ、高光沢の透明トナー用の現像器３４ＨＣ、低光沢の透明トナー用の現像器３４ＬＣで構成されたドラム式の現像ユニット３６が配設されており（いわゆるロータリー式）、感光体ドラム２６表面に形成された潜像にトナー（イエロー（Ｙ）、マゼンタ（Ｍ）、シアン（Ｃ）、黒（Ｋ）、高光沢透明（ＨＣ）、低光沢透明（ＬＣ））を選択的に転移させてトナー画像を形成する。
【００２４】
なお、ここでいう「高光沢」或いは「低光沢」の文言は、何れか一方に対する相対的な表現として用いており、互いを区別するために使用しているものである。以下も同様である。
【００２５】
また、トナーは各トナーボックス３８Ｙ、３８Ｍ、３８Ｃ、３８Ｋ、４０（ＨＣ）、４０（ＬＣ）内に収納されており、現像器３２Ｙ、３２Ｍ、３２Ｃ、３２Ｋ、３４ＨＣ、３４ＬＣに各色のトナーを供給可能としている。
【００２６】
さらに、感光体ドラム２６の近傍には、感光体ドラム２６の回転方向に沿った現像ユニット３６の下流側に、感光体ドラム２６と対向し周面が周回可能に支持された無端ベルト状の中間転写体４２が配設され、トナー画像が転写可能とされている。
【００２７】
ここで、中間転写体４２の内側には、感光体ドラム２６表面に形成されたトナー画像を中間転写体４２に一次転写するための一次転写ロール４４と、２つの支持ロール４６、４８と、二次転写を行うための転写対向ロール５０とが配置されており、これらによって中間転写体４２が一方向（図１において矢印Ｂ方向）へ周回可能に張架されている。
【００２８】
転写対向ロール５０と対向する位置には、中間転写体４２を介して、中間転写体４２の外周面に一次転写されたトナー画像を記録紙（記録媒体）Ｐに二次転写する二次転写ロール５２が配設されている。
【００２９】
例えば、フルカラーの画像を形成する場合、通常、感光体ドラム２６の表面には、帯電・露光・現像の各工程が、イエロー（Ｙ）、マゼンタ（Ｍ）、シアン（Ｃ）、黒（Ｋ）の各色に対応して４回繰り返され、該感光体ドラム２６の表面には、イエロー（Ｙ）、マゼンタ（Ｍ）、シアン（Ｃ）、黒（Ｋ）の各色に対応したトナー像が順次形成されることとなるが、本発明では、黒（Ｋ）の後に、透かし画像用の透明トナー像が形成される。
【００３０】
ここで、図２のブロック図（実線側）で示すように、画像形成部２４には光沢度センサ８４を配設しており、該光沢度センサ８４によって、搬送される記録材Ｐの表面の光沢度を測定するようにしている。この光沢度センサ８４によって測定されたデータは制御部（選択手段）８６へ入力される。
【００３１】
そして、制御部８６では、このデータに応じて高光沢透明トナー（ＨＣ）か低光沢透明トナー（ＬＣ）かが選択される。つまり、光沢度が所定の数値よりも小さい場合、すなわちマット紙など低光沢（後述する視覚反射率が１．５０未満）の記録材Ｐの場合、高光沢透明トナー（ＨＣ）が選択され、光沢度が所定の数値よりも大きい場合、すなわち光沢紙など高光沢（視覚反射率が１．５０以上）の記録材Ｐの場合、高光沢透明トナー（ＨＣ）が選択される。このようにして選択された透明トナーによって、透かし画像用の透明トナー像が形成されることとなる。
【００３２】
そして、感光体ドラム２６上に形成されたカラー画像用のトナー像及び透かし画像用の透明トナー像（以下、単に「トナー像」という場合もある）は、感光体ドラム２６の外周に中間転写ベルト２０が巻き付けられた一次転写位置において、該中間転写ベルト２０上に互いに重ね合わされた状態で、一次転写ロール４４によって一次転写される。
【００３３】
この中間転写ベルト２０上に多重に転写されたトナー像は、所定のタイミングで給紙される記録材Ｐ上に、二次転写ロール５２によって、一括して二次転写される。
【００３４】
ここで、記録材Ｐの搬送方向に沿った画像形成部２４の上流側（以下、「記録材Ｐの搬送方向に沿った」の文言を省略する場合もある）には、レジストロール５４が配設されており、このレジストロール５４によって、中間転写ベルト２０上に転写されたトナー像と同期した状態で、転写対向ロール５０と二次転写ロール５２との圧接部（二次転写位置）に記録材Ｐが搬送される。そして、該二次転写位置において表面にトナー画像が二次転写された記録紙Ｐは、そのまま矢印Ａ方向に搬送される。
【００３５】
なお、画像形成装置１０の側面の中央部には、手差しトレイ５６が配設されており、手差しトレイ５６へ給紙された記録紙は、搬送ロール対５８によって、レジストロール５４へ案内されるようになっている。
【００３６】
一方、画像形成部２４の下流側には、搬送ベルト６０が配設されており、未定着のトナー画像を載せた記録材Ｐは該搬送ベルト６０で搬送され、搬送ベルト６０の下流側に配設された定着装置１０４へ案内される。この定着装置１０４は定着ロール１００と加圧ロール１０２からなる２つのロール構成となっており、定着ロール１００を通過した記録材Ｐは、搬送ロール対１０８、１１０によって排紙トレイ１１２へと排出される。
【００３７】
次に、本発明で実施する透明トナーについて説明する。
【００３８】
本発明の透明トナーは、透明トナー全体としての粘度が１０3Ｐａ・ｓとなる温度Ｔｍ”が、８０〜１１０℃の範囲であることが好ましい。温度Ｔｍ”が、８０℃未満であると、耐熱性が十分でない場合があり、高温で放置するとブロッキング等の問題を生ずることがある。一方、温度Ｔｍ”が、１１０℃を超えると、定着により平滑で光沢の高い画像表面を得ることが困難となる場合がある。特に、定着された画像表面において、高濃度部と低濃度部との境界に段差が残ってしまう場合がある。
【００３９】
また、本発明の透明トナーの体積平均粒子径としては、６．０〜１６．０μｍの範囲が好ましく、１２．０〜１６．０μｍの範囲がより好ましい。必要に応じて風力分級機等を用いた分級工程を経て粒度分布をシャープにしてもよい。
【００４０】
ここで、体積平均粒子径は、例えば、コールターカウンター［ＴＡ−II］型（コールター社製）を用いて、５０μｍのアパーチャー径で測定することができる。この時、測定は、測定対象となるトナーを電解質水溶液（アイソトン水溶液）に分散させ、超音波により３０秒以上分散させた後に行う。
【００４１】
次に、視感反射率Ｙについて説明する。
【００４２】
測定対象となる各ポリエステル樹脂を富士ゼロックス（株）製のカラー用ＯＨＰシート上に、乾燥膜厚が２０μｍとなるように塗布して透明画像を作成した。そして、この透明画像の表面と裏面に顕微鏡観察用のカバーガラスを重ね、透明画像とカバーガラスとの隙間をテトラデカンで満たし、供試材とした。このようにして得られた供試材をライトトラップ上において、Ｘ−ｒｉｔｅ９６８で測色してＹ’を測定した。
【００４３】
そして、ポリエステル樹脂を塗布していないＯＨＰシートの表面と裏面に顕微鏡観察用のカバーガラスを重ね、同様にＯＨＰシートとカバーガラスとの隙間をテトラデカンで満たし、同様の手順でＹ0を測定した。視感反射率Ｙは、以下の計算式で算出した。
【００４４】
Ｙ＝Ｙ’−Ｙ0            ・・・・（式１）
得られた各ポリエステル樹脂の組成およびそのモル比、視感反射率Ｙ、並びに各種物性（分子量、融点（Ｔｍ）等を、下記表１にまとめて示す。
【００４５】
【表１】
2008151851.tif 000003
この表によると、ポリエステル樹脂Ａ、Ｃ，Ｆでは視覚反射率Ｙが１．００、ポリエステル樹脂Ｂ、Ｈは１．４０、ポリエステル樹脂Ｅは３．００、ポリエステル樹脂Ｇは３．５０となっており、ポリエステル樹脂Ｄは０．７０、となっており、記録材Ｐとの視感反射率Ｙの差が１．００以上となる透明トナーを選択する。
【００４６】
例えば、本発明では、一例として、高光沢用透明トナーとして、ポリエステル樹脂Ｅを用い、低光沢用透明トナーとしては、ポリエステル樹脂Ｄを用いた場合、搬送される記録紙Ｐの視覚反射率が１．００では、高光沢用透明トナーであるポリエステル樹脂Ｅが用いられ、搬送される記録材Ｐの視覚反射率が３．００では、低光沢用透明トナーであるポリエステル樹脂Ｄが用いられることとなる。
【００４７】
次に、本実施形態に係る画像形成装置の作用を説明する。
【００４８】
図１に示すように、本形態では、画像形成装置１０において、カラー画像用のトナー（イエロー（Ｙ）、マゼンタ（Ｍ）、シアン（Ｃ）、黒（Ｋ））に加え、透かし画像用のトナーとして、高光沢透明トナー（ＨＣ）及び低光沢透明トナー（ＬＣ）を配設している。そして、画像形成部２４に光沢度センサ８４（図２参照）を配設し、該光沢度センサ８４によって、搬送される記録材Ｐの表面の光沢度を測定する。
【００４９】
この光沢度に応じて制御部８６によって高光沢透明トナー（ＨＣ）か低光沢透明トナー（ＬＣ）かを選択し、選択された透明トナーによって、透かし画像用の透明トナー像が形成されることとなる。つまり、低光沢の記録材Ｐの場合は、高光沢透明トナー（ＨＣ）が選択され、高光沢の記録材Ｐの場合、高光沢透明トナー（ＨＣ）が選択される。
【００５０】
このようにして記録材Ｐの光沢度に応じて、透明トナーの種類を変えることで、記録材Ｐの種類に拘わらず、透かし画像の判別が可能となる。
【００５１】
また、本形態では、画像形成部２４に光沢度センサ８４を配設し、搬送される記録材Ｐの表面の光沢度を測定した結果に基づいて、制御部８６によって高光沢透明トナー（ＨＣ）か低光沢透明トナー（ＬＣ）かを選択するようにしたが、図示しない操作パネルにより記録材Ｐの種類を入力することで、自動的に透明トナーが選択されるようにしても良い。また、ここでは、透明トナーを二つ用いたが、三以上用いても良い。
【００５２】
さらに、ここでは、片面印刷の場合について説明したが、両面プリントの画像形成装置でも適用可能である。この場合、図１に示すように、例えば、搬送ベルト６０及び定着装置６２の下方に複数の搬送ロール対２２で構成された両面搬送経路９６を配設すると共に、記録材Ｐの搬送方向に沿った両面搬送経路９６の上流側には、記録材Ｐを反転させるための反転経路９８を配設する。
【００５３】
そして、定着装置６２によってトナー画像が定着された記録材Ｐを一旦反転経路９８へ案内して、記録材Ｐを反転させた後、該記録材Ｐを両面搬送経路９６へ搬送して、記録材Ｐの裏面側にトナー画像を形成し定着させた後、排紙トレイ８２から排紙されるようにする。
次に、本発明に係る第２の実施形態について説明する。なお、第１の実施形態と略同一の内容については説明を割愛する。
【００５４】
図３に示すように、本形態では、定着ロール１００と加圧ロール１０２からなる２つのロール構成の定着装置（低光沢用定着装置）１０４以外に、定着装置（高光沢用定着装置）６２を配設する。なお、この場合、カラー画像用のトナー（イエロー（Ｙ）、マゼンタ（Ｍ）、シアン（Ｃ）、黒（Ｋ））に加え、透かし画像用の透明トナーを一つ設けるだけで良い。
【００５５】
この定着装置６２では、定着ベルト６８に記録材Ｐを密着させたまま定着し、冷却した後に記録材Ｐを定着ベルト６８から剥離させる。つまり、この定着装置６２では、トナー画像の定着後、定着ベルト６８で記録材Ｐを搬送し冷却させるため、定着装置１０４と比較すると、記録材Ｐの表面（画像形成面）のトナー画像には凹凸がなく、画像は高光沢となる。
【００５６】
ここで、定着装置６２について具体的構成を説明する。
図４には、定着装置６２の断面図が示されている。図４に示すように、定着装置６２は、搬送される記録紙の表面をニップ領域において加熱する定着ロール６４と、該ニップ領域において記録紙を裏面から加熱するとともに定着ロール６４の方向へ押圧する加圧ロール６６と、定着ロール６４を巻掛け、該定着ロール６４の駆動力によって駆動する定着ベルト６８と、定着ベルト６８の内周面に接して記録紙を冷却させる冷却器７０と、定着ベルト６８から記録材Ｐを剥離させる剥離ロール７２と、定着ベルト６８に生じる偏りを修正するステアリングロール７４と、を備えている。
定着ロール６４は、熱伝導性の高い金属製のコアの周囲にＰＦＡチューブ等からなる離型層が形成された部材である。また、コアの内部にはハロゲンランプ等の熱源７６が備わっており、定着ロール６４の表面が所定の温度（トナー及び記録紙の表面樹脂層の溶融温度に依存するが、本実施形態においては１４０〜１９０℃）となるように加熱されることにより、搬送されてくる記録紙表面をニップ領域において加熱する。また、定着ロール６４は、図示せぬ駆動装置によりその中心を軸として図中の搬送方向に回転され、定着ベルト６８が駆動される。
【００５７】
加圧ロール６６は、熱伝導性の高い金属製のコアの周囲にゴム硬度（ＪＩＳ−Ａ）４０°程度のシリコーンゴム等からなる弾性体層が被覆されており、その表面には定着ロール６４と同様の離型層が形成されている。また、コアの内部にはハロゲンランプ等の熱源７８が備わっており、加圧ロール６６の表面が所定の温度となるように加熱される。そして加圧ロール６６は搬送方向に回転しながら、搬送されてくる用紙をニップ領域において裏面から加熱するとともに定着ロール６４の方向へ所定の圧力で押圧する。
定着ベルト６８は、例えば耐熱性の高い熱硬化型ポリイミド等の無端状フィルムの表面にフッ素ゴムやシリコーンゴム等による平滑性の高い離型層が形成された部材であり、定着ロール６４、剥離ロール７２，ステアリングロール７４に張架され、図示していない駆動源により回転する定着ロール６４に従動して搬送方向に循環移動される。定着ベルト６８の離型層は、望ましくは３５μｍ程度であり、ポリイミド等の基材は、強度面から望ましくは７５μｍ以上である。ニップ領域において加熱された記録紙上では、トナー及び記録紙の樹脂層が溶融状態にあり、この状態で定着ベルト６８と高圧で密着させることにより用紙の記録面が平滑に仕上げられる。
【００５８】
冷却器７０は、定着ロール６４と剥離ロール７２との間の定着ベルト６８の内周面に接して定着ベルト６８と記録紙の熱を吸収することにより、ニップ領域において加熱された記録材Ｐを冷却させる。そして、冷却器７０に伝わった熱は、図示していない送風ブロアにより内部に空気を通すことで空気中に放熱させる。
【００５９】
冷却器７０の冷却温度は用いられるトナーや記録材Ｐの表面樹脂の種類に応じて異なるが、記録材Ｐの表面（画像形成面）がトナー樹脂の軟化温度より低い、およそ６０〜８０℃となるように冷却することが望ましい。このように記録材Ｐを冷却することで、記録材Ｐの表面のトナー像および樹脂層（後述する）は定着ベルト６８の表面の平滑性を写し取って固化し、記録材Ｐは定着ベルト６８から容易に剥離できるようになる。
【００６０】
ステアリングロール７４は、定着ベルト６８を連続的に循環移動させたときに生じる偏り（定着ベルト６８が軸方向へ移動する現象）を修正するために設けられている。定着ベルト６８の偏りに応じてステアリングロール７４は揺動して、定着ベルト６８の搬送方向との角度を変化させて偏りを修正する。
【００６１】
剥離ロール７２は定着ベルト６８の移動に従動して回転する。記録材Ｐはこの位置において記録材Ｐ自体の剛性によって自然に剥離される。剥離ロール７２の外径や定着ベルト６８の巻き付け角度θは、記録材Ｐの剛性や記録材Ｐと定着ベルト６８との付着力に応じて決定される。
【００６２】
本形態では、図３に示すように、高光沢用定着装置６２と低光沢用定着装置１０４を用いている。つまり、定着装置６２でトナー画像の定着を行うと、定着後の画像が定着装置１０４による定着よりも高光沢の透かし画像を得ることができ、定着装置１０４でトナー画像の定着を行うと、定着後の画像が低光沢の透かし画像となる。
【００６３】
ところで、画像形成部２４の下流側に配設された搬送ベルト６０は、搬送される記録紙Ｐの上流側を回転可能に軸支し、下流側を自由端として揺動可能としている。この搬送ベルト６０は、制御部８６と電気的に接続された切替え装置１０６（図２参照；仮想線側）によって揺動し、定着装置６２側の搬送経路Ａか定着装置１０４側の搬送経路Ｂかに切り替えられる。
【００６４】
そして、搬送経路Ａへ案内され、定着ベルト６８から剥離された記録材Ｐは、搬送ロール対８０によって排紙トレイ８２へと排出され、搬送経路Ｂへ案内され、定着ロール１００を通過した記録材Ｐは、搬送ロール対１０８、１１０によって排紙トレイ１１２へと排出される。なお、搬送ベルト６０の位置によっては搬送ベルト６０は揺動しない場合もある。
【００６５】
ここで、切替え装置１０６は、図示はしないがステッピングモータ等によって構成され、光沢度センサ８４と電気的に接続された制御部８６によって、該ステッピングモータが作動するようになっている。このステッピングモータの作動により、搬送ベルト６０が所定角度内を揺動可能となる。
【００６６】
したがって、搬送される記録材Ｐが低光沢の場合、切替え装置１０６によって搬送ベルト６０は搬送経路Ａ側へ揺動し、定着装置６２による定着を行い、高光沢の透かし画像を形成することで、該透かし画像の判別を可能にする。また、搬送される記録材Ｐが高光沢の場合、切替え装置１０６によって搬送ベルト６０は搬送経路Ｂ側へ揺動し、定着装置１０４による定着を行い、低光沢の透かし画像を形成することで、該透かし画像の判別を可能にする。
【００６７】
つまり、記録材Ｐの光沢度に応じて、定着装置の種類を変えることで、記録材Ｐの種類に拘わらず、透かし画像の判別を可能とすることができる。
【００６８】
なお、本発明は、上記の実施の形態に限るものではなく、本発明の要旨を逸脱しない限りにおいて、種々の変形、変更、改良が可能である。
【図面の簡単な説明】
【００６９】
【図１】本発明の第１の実施形態に係る画像形成装置の構成を示す断面図である。
【図２】本発明の第１及び第２の実施形態に係る画像形成装置の要部の構成を示すブロック図であり、第１の実施形態を実線で示し、第２の実施形態を仮想線で示している。
【図３】本発明の第２の実施形態に係る画像形成装置の構成を示す断面図である。
【図４】本発明の第２の実施形態に係る画像形成装置に用いられる高光沢用定着装置の構成を示す断面図である。
【符号の説明】
【００７０】
１０             画像形成装置
２４             画像形成部（画像形成ユニット）
４０（ＨＣ）     トナーボックス（高反射率透明トナー現像剤）
４０（ＬＣ）     トナーボックス（低反射率透明トナー現像剤）
６２             高光沢用定着装置
８４             光沢度センサ
８６             制御部（選択手段）
１０４           低光沢用定着装置
１０６           切替え装置（切替え手段）
【図１】
2008151851.tif 000004
【図２】
2008151851.tif 000005
【図３】
2008151851.tif 000006
【図４】
2008151851.tif 000007